(57)【要約】【課題】鉛直方向の支柱に対して水平方向の梁を任意の高さに容易に連結することのできる構造物用ブラケットを提供する。【解決手段】支柱が挿通される支柱挿通穴２を備え、該支柱挿通穴は一部が外部と連通した不完全な穴であり、その連通箇所の両側部３Ａ，３Ｂに該両側部の間隔を変更して前記支柱挿通穴２を拡縮させる拡縮具を挿通するための拡縮具挿通穴４Ａ，４Ｂが形成され、また、前記連通箇所と異なる箇所に梁を載置する梁載置部５が設けられ、その梁載置部５に該梁載置部と前記梁とを連結する連結具を挿通するための連結具挿通穴６が形成されている構成とする。【選択図】図１
2005299153.tif 000002
【特許請求の範囲】
【請求項１】
鉛直方向の支柱と水平方向の梁とを連結する構造物用ブラケットであって、
支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に梁を載置する梁載置部が設けられ、その梁載置部に該梁載置部と前記梁とを連結する連結具を挿通するための連結具挿通穴が形成されていることを特徴とする構造物用ブラケット。
【請求項２】
鉛直方向の支柱と水平方向のＨ鋼製の梁とを連結する構造物用ブラケットであって、
支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に平行部分が上下に位置するように配置された梁の下側平行部分を載置する梁載置部が設けられ、その梁載置部に該梁載置部と前記梁の下側平行部分とを連結する連結具を挿通するための連結具挿通穴が形成されている下ブラケットと、
支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に前記梁の上側平行部分を載置する梁載置部が設けられ、その梁載置部に該梁載置部と前記梁の上側平行部分とを連結する連結具を挿通するための連結具挿通穴が形成されている上ブラケットとで一組であることを特徴とする構造物用ブラケット。
【請求項３】
常態では支柱挿通穴の内径が支柱の外径よりも若干小さく、拡縮具挿通穴に挿通した拡縮具により支柱挿通穴を広げた状態で当該支柱挿通穴に支柱を挿通し、拡縮具を拡縮具挿通穴から抜いて支柱挿通穴を縮径させることにより、支柱挿通穴の内周面を支柱の外面に密着させて支柱に固着する請求項１又は２に記載の構造物用ブラケット。
【発明の詳細な説明】
【技術分野】
【０００１】
この発明は、鉛直方向の支柱と水平方向の梁とを連結する構造物用ブラケットに関する。
【背景技術】
【０００２】
鉛直方向の支柱と水平方向の梁とを組んでガレージ、バルコニー、ベランダ、ステージ、作業台などの構造物を構築する場合、従来は、支柱にブラケットを溶接で固着し、そのブラケットと梁とをボルト、ナット等の連結具で連結する方法が広く採用されていた。
【０００３】
また、土木の分野では、支保工や仮設足場等の仮設構造物を構築する場合に、予め所定の高さに受け金具が固着された支柱を用い、梁の端部に一体化された係止金具と前記受け金具とを係止させることにより、支柱と梁とを連結することが行われている（例えば特許文献１、２）。
【特許文献１】特開平１０−１７６４１６号公報
【特許文献２】特開２００３−５６１７６号公報
【０００４】
他に、複数の挟持片（又は固定片）を支柱の周囲を囲むように配置し、その挟持片同士をボルト、ナット等の連結具で連結するとともに、挟持片と梁とを連結具で連結することにより、支柱と梁とを連結する技術が知られている（例えば特許文献３、４）。
【特許文献３】特開２０００−３１９９８７号公報
【特許文献４】特開２００３−３１１４１２号公報
【発明の開示】
【発明が解決しようとする課題】
【０００５】
支柱にブラケットを溶接で固着する従来の方法は、現場での構築作業に先立つ溶接等の前工程が必要であるとともに、溶接による熱で支柱が劣化、変質する可能性があるという問題がある。また、特許文献１、２に記載の技術は、あくまでも仮設構造物用の技術であり、耐久性が求められる構造物には適せず、しかも支柱に対して梁を連結する高さが決まっているため、ガレージ、バルコニー等の場合には設置状況が異なる個々のケースに対応できないという問題がある。さらに、特許文献３、４に記載の技術は、支柱の周囲を囲むように配置した複数の挟持片（又は固定片）を適正位置に保ったまま互いに固着しなければならないという難しさと、支柱に固着された挟持片と梁とを該梁を適正高さに保ったまま連結具で連結しなければならないという難しさとがあるので、これらの作業を一人で行うのは非常に困難であり、作業効率が悪いという問題がある。
【０００６】
本発明は、上記従来技術の問題点を解決し、鉛直方向の支柱に対して水平方向の梁を任意の高さに容易に連結することのできる構造物用ブラケットを提供することを課題としている。
【課題を解決するための手段】
【０００７】
上記課題に対する請求項１に記載の構造物用ブラケットは、鉛直方向の支柱と水平方向の梁とを連結する構造物用ブラケットであって、支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に梁を載置する梁載置部が設けられ、その梁載置部に該梁載置部と前記梁とを連結する連結具を挿通するための連結具挿通穴が形成されていることを特徴としている。
【０００８】
支柱挿通穴に支柱が挿通された構造物用ブラケットを支柱に対して適正高さに位置させ、該ブラケットの拡縮具挿通穴に挿通した拡縮具により支柱挿通穴の内径を調節して当該ブラケットを支柱に固着する。そのブラケットの梁載置部の上に梁を載置し、連結具挿通穴に挿通した連結具によりブラケットと梁とを連結する。
【０００９】
また、請求項２に記載の構造物用ブラケットは、鉛直方向の支柱と水平方向のＨ鋼製の梁とを連結する構造物用ブラケットであって、支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に平行部分が上下に位置するように配置された梁の下側平行部分を載置する梁載置部が設けられ、その梁載置部に該梁載置部と前記梁の下側平行部分とを連結する連結具を挿通するための連結具挿通穴が形成されている下ブラケットと、支柱が挿通される支柱挿通穴を備え、該支柱挿通穴は一部が外部と連通した不完全な穴であり、その連通箇所の両側部に該両側部の間隔を変更して前記支柱挿通穴を拡縮させる拡縮具を挿通するための拡縮具挿通穴が形成され、また、前記連通箇所と異なる箇所に前記梁の上側平行部分を載置する梁載置部が設けられ、その梁載置部に該梁載置部と前記梁の上側平行部分とを連結する連結具を挿通するための連結具挿通穴が形成されている上ブラケットとで一組であることを特徴としている。
【００１０】
支柱挿通穴に支柱が挿通された下ブラケット及び上ブラケットを支柱に対して適正高さに位置させ、上下両ブラケットの拡縮具挿通穴に挿通した拡縮具により上下両ブラケットの支柱挿通穴の内径をそれぞれ調節して当該上下両ブラケットを支柱に固着する。そして、平行部分が上下に位置するように配置されたＨ鋼製の梁の下側平行部分を下ブラケットの梁載置部の上に載置し、該下ブラケットの連結具挿通穴に挿通した連結具により下ブラケットと梁の下側平行部分とを連結するとともに、前記梁の上側平行部分を上ブラケットの梁載置部の上に載置し、該上ブラケットの連結具挿通穴に挿通した連結具により上ブラケットと梁の上側平行部分とを連結する。
【００１１】
さらに、請求項３に記載の構造物用ブラケットは、請求項１又は２の内容に加えて、常態では支柱挿通穴の内径が支柱の外径よりも若干小さく、拡縮具挿通穴に挿通した拡縮具により支柱挿通穴を広げた状態で当該支柱挿通穴に支柱を挿通し、拡縮具を拡縮具挿通穴から抜いて支柱挿通穴を縮径させることにより、支柱挿通穴の内周面を支柱の外面に密着させて支柱に固着するようにした。
【発明の効果】
【００１２】
請求項１乃至３に記載の発明による構造物用ブラケットは、支柱の任意の位置に固着させることが可能であるので、構造物の形態や設置状況に応じて梁の高さを任意に決めることができ、また、拡縮具で支柱挿通穴の内径を調節して当該ブラケットを支柱に固着するとともに、梁載置部の上に梁を載置した状態で当該ブラケットと梁とを連結する構成であるので、支柱と梁とを確実かつ容易に連結させることができ、さらに、溶接を行わないので、溶接の熱による支柱や梁の劣化、変質を防ぐことができる。
【００１３】
特に、請求項２に記載の発明による構造物用ブラケットは、Ｈ鋼製の梁を支柱に連結するのに好適で、平行部分が上下に位置するように配置したＨ鋼製の梁の下側平行部分と下ブラケットと連結するとともに、該梁の上側平行部分と上ブラケットとを連結した構造は、堅牢かつ強固である。
【００１４】
さらに、請求項３に記載の構成とすれば、予め拡縮具挿通穴に拡縮具を挿通して支柱挿通穴を広げた状態にしておくことにより、当該支柱挿通穴に支柱を挿通し、拡縮具を拡縮具挿通穴から抜くだけで、ブラケットを支柱に固着させることができるので、構造物の組立現場での作業が簡略化できるととともに、下ブラケット１及び上ブラケット１１が常態で支柱４１に固着しているので、その固着状態が安定するという効果を奏する。
【発明を実施するための最良の形態】
【００１５】
下ブラケットと上ブラケットとで一組とする。梁材として軽量Ｈ鋼等を使用する。下ブラケット及び上ブラケットを支柱の適正高さに固着し、平行部分が上下に位置するように配置した梁の下側平行部分を下ブラケットの梁載置部の上に載置して両者を連結するとともに、該梁の上側平行部分を上ブラケットの梁載置部の上に載置して両者を連結する。下ブラケットの梁載置部の下方に、該下ブラケットと一体に支柱の外面に当接する下支えプレートを設ける。
【実施例１】
【００１６】
図１及び図２は下ブラケットを、図３及び図４は上ブラケットをそれぞれ表しており、構造物用ブラケットは、これら上下両ブラケット１，１１で一組となっている。上下両ブラケット１，１１は、安価で強度が高い普通鋼（例えばＳＳ４００）で成形するのが好適である。
【００１７】
下ブラケット１は、支柱の外径よりも若干内径が小さい上下に貫通する支柱挿通穴２を備えている。例えば、支柱の外径が１４０ｍｍである場合、支柱挿通穴２の内径は１４１ｍｍ程度とする。この支柱挿通穴２は、一部が外部と連通した不完全な穴である。支柱挿通穴２の内周面の適所には、該支柱挿通穴の外側構成部分を撓ませて支柱挿通穴２を拡縮させやすいように切り欠き部２ａ，２ａが形成されている。
【００１８】
支柱挿通穴２の連通箇所の両側部はブロック状の拡縮具装着部３Ａ，３Ｂとなっており、その拡縮具装着部３Ａ，３Ｂに水平方向に貫通する拡縮具挿通穴４Ａ，４Ｂが形成されている。一方の拡縮具挿通穴４Ａには、後述する六角穴付き螺子３１が螺合する雌ねじ４ａが螺刻されている。また、他方の拡縮具挿通穴４Ｂの外端部には、六角穴付き螺子３１の頭部が嵌合する凹部４ｂが形成されている。
【００１９】
支柱挿通穴２を挟んで前記連通箇所と反対側は、比較的広い水平面を有する梁載置部５になっている。この梁載置部５には、互いに平行な２本の線条Ｌ１，Ｌ２に沿って２箇所ずつ計４箇所に連結具挿通穴６，…が形成されている。各連結具挿通穴６，…は線条Ｌ１，Ｌ２の方向に長い長穴になっている。
【００２０】
梁載置部５の中央下面には、垂面７ａが支柱挿通穴２の内周面から下方へ鉛直方向に延びるように、略直角三角形の下支えプレート７が溶接により固着されている。この下支えプレート７には、筋交い取付用の円形穴７ｂが形成されている。
【００２１】
上ブラケット１１は、下ブラケット１と同様に、一部が外部と連通した不完全な穴である支柱挿通穴１２（支柱挿通穴２と同径）を備え、連通箇所の両側部に位置するブロック状の拡縮具装着部１３Ａ，１３Ｂに水平方向に貫通する拡縮具挿通穴１４Ａ，１４Ｂが形成されている。一方の拡縮具挿通穴１４Ａには雌ねじ１４ａが螺刻され、他方の拡縮具挿通穴１４Ｂには凹部１４ｂが形成されている。なお、上ブラケット１１は、下ブラケット１よりも上下の厚みが薄いので、下ブラケット１の切り欠き部２ａ，２ａに相当するものが形成されていない。
【００２２】
支柱挿通穴１２を挟んで前記連通箇所と反対側は、梁載置部５よりも狭い梁載置部１５になっている。この梁載置部１５には、下ブラケット１の内側の線条Ｌ１に沿って形成された連結具挿通穴６，６に対応する位置に、連結具挿通穴１６，１６が形成されている。この連結具挿通穴１６も、連結具挿通穴６と同様な長穴である。
【００２３】
下ブラケット１及び上ブラケット１１を支柱に固着するための締付具として、図５に示す六角穴付き螺子３１が使用される。また、下ブラケット１及び上ブラケット１１と梁とを連結するための連結具として、ボルト３２及びナット３３が使用される（図７に図示）。六角穴付き螺子３１及びボルト３２は、下ブラケット１及び上ブラケット１１よりも高強度の素材、例えばクロム−モリブデン鋼のものを使用するのが好ましい。
【００２４】
以下、上記下ブラケット１及び上ブラケット１１を用いて、円筒状の支柱４１に軽量Ｈ鋼製の梁４２を組み付ける方法について説明する（図７参照）。支柱４１としては、構造用鋼管が好適である。この支柱４１の外周面所定高さの位置には、予めダボ４３，…を１００ｍｍ程度の間隔で溶接しておく。また、梁用の軽量Ｈ鋼としては、下ブラケット１及び上ブラケット１１と同じ普通鋼が好適である。図６に示すように、梁４２の平行部分の一方４２ａには下ブラケットの連結具挿通穴６，…に対応する連結具挿通穴４４，…を、他方４２ｂには上ブラケットの連結具挿通穴１６，…に対応する連結具挿通穴４５，…をそれぞれ穿設しておく。
【００２５】
支柱挿通穴２に支柱４１を挿通させた下ブラケット１を、上記ダボ４３，…に下面が当接する位置にセットする。そして、拡縮具挿通穴４Ｂ側から六角穴付き螺子３１を挿入して拡縮具挿通穴４Ａに螺合させ、これを六角レンチ等により締め付けて、拡縮具装着部３Ａ，３Ｂを互いに接近させ支柱挿通穴２を縮径させることにより、下ブラケット１を支柱４１に固着する。六角穴付き螺子３１の頭部３１ａは凹部４ｂに隠れるので、邪魔にならない。同様に、支柱挿通穴１２に支柱４１を挿通させた上ブラケット１１を、支柱４１の下ブラケット１１よりも所定高さだけ高い位置に固着する。
【００２６】
次いで、平行部分４２ａが下側、平行部分４２ｂが上側になるように配置した梁４２を、平行部分４２ａが下ブラケット１の梁載置部５の上に載置され、平行部分４２ｂが上ブラケット１１の梁載置部１５の上に載置されるようにセットする。そして、連結具挿通穴６，…，４４，…に挿通したボルト３２及びこれに螺着したナット３３等により、下ブラケット１と梁４２とを連結するとともに、連結具挿通穴１６，…，４５，…に挿通したボルト３２及びこれに螺着したナット３３等により、上ブラケット１１と梁４２とを連結する。下ブラケット１及び上ブラケット１１の連結具挿通穴６，１６は長穴であるので、梁４２の連結具挿通穴４４，４５の加工精度に多少難があっても、ボルト３２を無理なく連結具挿通穴６，４４に挿通させることができる。さらに、必要に応じて、図示しない筋交いの端部を、下ブラケット１の円形穴７ｂに引っ掛けて取り付ける。
【００２７】
このようにして得られる支柱４１と梁４２との連結構造は、下ブラケット１及び上ブラケット１１がそれぞれ個別に支柱４１に固着されるとともに、下支えプレート７の垂面７ａが支柱４１の外面に当接して梁４２の重量を支えることにより、支柱４１に梁４２が確実に組み付けられる。支柱４１、梁４２及び上下両ブラケット１，１１はいずれも鋼鉄製であるため、強固な構造が得られ、しかも比較的安価に構築することができる。また、この支柱４１と梁４２との連結構造は、締付具３１及び連結具３２，３３だけで構築され、基本的には溶接を行わないので、溶接の技術を会得していない作業者でも簡単に構築することができるとともに、溶接による支柱４１や梁４２の劣化、変質が生じないという大きな利点がある。さらに、解体後、各部材を再利用することも可能である。
【００２８】
梁がＨ鋼でない（例えばＬ型鋼）場合、下ブラケット１だけを使用して、支柱に梁を組み付けるようにしてもよい。
【実施例２】
【００２９】
下ブラケット１及び上ブラケット１１の常態における支柱挿通穴２，１２の内径を支柱４１の外径よりも若干小さく成形する。例えば、支柱の外径が１４０ｍｍである場合、支柱挿通穴２，１２の内径を１３９．５ｍｍ程度とする。
【００３０】
この下ブラケット１及び上ブラケット１１を支柱４１に固着させるに際しては、予め拡縮具挿通穴４Ａ，４Ｂ，１４Ａ，１４Ｂに拡縮具３１，３１を挿通して、支柱挿通穴２，１２の内径を支柱４１の外径よりも広げておき、その広げた支柱挿通穴２，１２に支柱４１を挿通し、然る後、拡縮具挿通穴４Ａ，４Ｂ，１４Ａ，１４Ｂから拡縮具３１，３１を抜き取って、支柱挿通穴２，１２を縮径させる。この方法であると、下ブラケット１及び上ブラケット１１が常態で支柱４１に固着しているので、その固着状態が安定するとともに、構造物の組立現場での作業工程が少なくてすみ、組立作業が簡略化できる。
【産業上の利用可能性】
【００３１】
本発明の構造物用ブラケットを使用した支柱と梁との連結構造は、ガレージ、バルコニー、ベランダ、ステージ、作業台などの構造物に適用できる他、既設の建物の補強にも適用できる。図８はその例で、建物５０の骨格材に固定した延長梁４２（Ａ）を外壁よりも外方に突出させて設け、この延長梁４２（Ａ）と地面に立設した支柱４１とを構造物用ブラケット１，１１で連結し、さらに隣接する支柱４１，４１同士に間に架け渡した補強梁４２（Ｂ）４２と各支柱４１とを構造物用ブラケット１，１１で連結している。
【００３２】
また、１つの支柱挿通穴と複数の梁載置部とを備えた構造物用ブラケット６０，６１とすれば、１個の構造物用ブラケットで、１本の支柱４１に複数本の梁４２を組み付けることができる（図９参照）。さらに、上記構造物用ブラケット６０，６１と、梁同士を連結するブラケット６２とを併用することにより、図９に示すような構造物を効率的に組み立てることができる。
【図面の簡単な説明】
【００３３】
【図１】下ブラケットの斜視図である。
【図２】下ブラケットの平面図である。
【図３】下ブラケットの斜視図である。
【図４】上ブラケットの平面図である。
【図５】六角穴付き螺子の斜視図である。
【図６】梁の斜視図である。
【図７】支柱と梁とを連結した状態を示す図である。
【図８】建物の外観斜視図である。
【図９】構造物の斜視図である。
【符号の説明】
【００３４】
１  下ブラケット（構造物用ブラケット）
２，１２  支柱挿通穴
４Ａ，４Ｂ，１４Ａ，１４Ｂ  締付具挿通穴
５，１５  梁載置部
６，１６  連結具挿通穴
３１  六角穴付き螺子（拡縮具）
３２  ボルト（連結具）
１１  上ブラケット（構造物用ブラケット）
４１  支柱
４２  梁
【図１】
2005299153.tif 000003
【図２】
2005299153.tif 000004
【図３】
2005299153.tif 000005
【図４】
2005299153.tif 000006
【図５】
2005299153.tif 000007
【図６】
2005299153.tif 000008
【図７】
2005299153.tif 000009
【図８】
2005299153.tif 000010
【図９】
2005299153.tif 000011